(57)【要約】【課題】組立式紙器を底面が平坦でぐらつかず、かつ組み立てやすいものとする。【解決手段】互いに対向する第１側板１１と第２側板及び第３側板と第４側板１４を有する水平断面が矩形の組立式紙器１０において、第１側板１１の下辺１１ａに連設された第１フラップ２１と、第２側板の下辺１２ａに連設された第２フラップ２２とを、高さが第３側板１３の下辺１３ａ（第４側板１４の下辺１４ａ）の略半分の略台形形状を有するものとし、上底２１ａ，２２ａの位置から延びる重合部２１ｂ，２２ｂをそれぞれ相手側の裏側に折り込む。第３側板１３の下辺１３ａに連設された第３フラップ２３と、第４側板１４の下辺１４ａに連設された第４フラップ２４とを、高さが第１フラップ２１（第２フラップ２２）の下底の半分よりも短い台形形状を有するものとし、互いに対角の位置にある一方の斜辺２３ｂ，２４ｂにそれぞれ重合部２１ｂ，２２ｂで重なり合う第１フラップ２１又は第２フラップ２２上へ貼り付けられる貼付部２３ｃ，２４ｃを連設する。【選択図】図４
2010089827.tif 000002
【特許請求の範囲】
【請求項１】
水平断面が矩形の組立式紙器において、
互いに対向する第１側板と第２側板及び第３側板と第４側板を備え、
上記第１側板の下辺に連設された第１フラップと、上記第２側板の下辺に連設された第２フラップとは、高さが上記第３側板及び第４側板の下辺の略半分の略台形形状を有し、上底の位置から延びる重合部がそれぞれ相手側の裏側に折り込まれ、
上記第３側板の下辺に連設された第３フラップと、上記第４側板の下辺に連設された第４フラップとは、高さが上記第１フラップ及び第２フラップの下底の半分よりも短い台形形状を有し、互いに対角の位置にある一方の斜辺には、それぞれ上記重合部で重なり合う上記第１フラップ又は第２フラップ上へ貼り付けられる貼付部が連設されている
ことを特徴とする組立式紙器。
【請求項２】
請求項１に記載の組立式紙器において、
組み立てられた状態で上記貼付部を含む上記第３フラップ及び第４フラップのみが載置面に当接する
ことを特徴とする組立式紙器。
【請求項３】
請求項１又は２に記載の組立式紙器において、
上記貼付部と上記第３フラップ又は第４フラップとの境界に谷折り用の折れ線を設け、上記貼付部が貼り付けられた状態で該折れ線を中心に折り畳むことにより、上記第１側板と第３側板とが重なり合い、上記第２側板と第４側板とが重なり合うように構成されている
ことを特徴とする組立式紙器。
【発明の詳細な説明】
【技術分野】
【０００１】
本発明は、内部に製品を収容する組立式紙器に関するものである。
【背景技術】
【０００２】
従来より、製品を梱包する個装箱は、環境にやさしく、安価で、容積の大きくならないものとして、組立式の紙器（紙製容器）が使われることが一般的である。しかも紙器であれば、表面に多彩な色調の印刷を施すことができるので、高級感も損なわない。
【０００３】
例えば、特許文献１の包装箱では、前後左右の側板からなる胴部の上端に蓋部を、下端に底部をそれぞれ連設し、互いに対向する一対の側板のうちの少なくとも一方の側板にミシン目を介して切開部を設け、切開部の内面と平行に緩衝材を配置し、切開部を形成した側板が隣接する一方の側板又は底部にこの緩衝材の一端を固定し、緩衝材の他端側を切開部に連結固定し、緩衝材を切開部の外形以下の寸法に形成している。このことで、偏平状態に折り畳むことができ、かつ、外部からの衝撃を吸収して収容物を安全に収容でき、しかも上方に積み重ねた包装箱を移動させることなく下方の包装箱から収容物を容易に取り出せるようにしている。
【０００４】
特許文献２の紙箱では、合成樹脂フィルム等の薄材を内面とする底壁の一対の対向縁に左右側壁を連設し、他の対向縁に前後側壁を連設し、前後側壁の下隅部から斜め上方に立ち上がった第１斜状折目を設け、前後側壁の端縁に第１連結片を連設し、左右側壁の端縁に第２連結片を連設し、第２連結片と第１連結片とを連結片用斜状折目を介して連結し、第１連結片を第２連結片よりも形大として左右側壁の外面に重合貼着されるものとしている。このことで、内面に防水性に富んだ薄材が被覆されてなる紙箱の所要箇所の接合をより安価な接着剤を用いて行うと共に、紙箱の箱形態が損なわれるのを防止している。
【０００５】
特許文献３の箱体は、ブランクが、左右の長さ方向に連続する４片の側板と、縦幅方向のいずれか一方で各側板に連なる４片の底板と、縦幅方向のいずれか他方で各側板の全部又は一部に連なる蓋板とからなり、４片の底板が、各側板から先端に向かって横幅が狭くなる台形部とその先端に突出するロック片部とを有し、台形部は、その左右の一方の辺を、側板との連接辺となる底辺の一方の端部から底辺の略中央位置の延長線上まで傾斜して延びると共に、その高さとなる縦幅を該台形部が連接された側板に隣接する側板の底辺の略半分の長さに設定した傾斜辺としている。このことで、底壁を形成するフラップ状の底板構成片を糊付けすることなく、一工程で簡単に底板構成片をロックしている。
【特許文献１】特開平９−３２３７２２
【特許文献２】特開平１０−１３９０３３
【特許文献３】特開２００３−２０５９２９
【発明の開示】
【発明が解決しようとする課題】
【０００６】
ところで、製品を梱包する組立式紙器は、ユーザの手元に届いたときには不要なものになることが多いため、安価なコスト、組立性（短時間で容易に組み立てられる）、安定性（積み上げても倒れない）、輸送性（個装箱製作メーカから製品を梱包するメーカへの輸送）等が要求される。
【０００７】
しかし、特許文献１の包装箱は、底面フラップの組立において隣のフラップと互い違いに重ね合わされているため、底面には段がつき、これを机上に置けばぐらぐらして不安定となる。特に多段に積み重ねた場合には、倒れやすくなってしまう。
【０００８】
また、特許文献２の紙箱は、底面が平面であるので安定性はよいが、側面については、底面から延びた側面を立ち上げて４つの角部で折り曲げる必要があるため、組立の時間が多くかかる。
【０００９】
特許文献３の箱体は、底面が平面でないため、多段積み重ねた場合に倒れやすくなってしまうという問題があった。
【００１０】
本発明は、かかる点に鑑みてなされたものであり、その目的とするところは、組立式紙器を底面が平坦でぐらつかず、かつ組み立てやすいものとすることにある。
【課題を解決するための手段】
【００１１】
上記の目的を達成するために、この発明では、第３及び第４側板から延びるフラップに設けた貼付部を、重合部で重なり合う第１側板又は第２側板上へ貼り付けるようにした。
【００１２】
具体的には、第１の発明では、水平断面が矩形の組立式紙器を前提とし、
上記組立式紙器は、
互いに対向する第１側板と第２側板及び第３側板と第４側板を備え、
上記第１側板の下辺に連設された第１フラップと、上記第２側板の下辺に連設された第２フラップとは、高さが上記第３側板及び第４側板の下辺の略半分の略台形形状を有し、上底の位置から延びる重合部がそれぞれ相手側の裏側に折り込まれ、
上記第３側板の下辺に連設された第３フラップと、上記第４側板の下辺に連設された第４フラップとは、高さが上記第１フラップ及び第２フラップの下底の半分よりも短い台形形状を有し、互いに対角の位置にある一方の斜辺には、それぞれ上記重合部で重なり合う上記第１フラップ又は第２フラップ上へ貼り付けられる貼付部が連設されている。
【００１３】
すなわち、従来の組立式紙器では、上底の位置から延びる重合部がそれぞれ相手側の裏側に折り込まれると共に、隣のフラップと互い違いに重ね合わされているため、底面が撓んでいる。また、台形状の第１フラップ及び第２フラップの互いに対角の位置にある一方の斜辺に、それぞれ第３フラップ又は第４フラップ上へ貼り付けられる貼付部が連設され、組み立てた場合には、貼付部だけでなく、表面が撓んだ第１フラップ及び第２フラップも載置面に当接するので、ぐらぐらして積み重ねに適していなかった。しかし、上記の構成によると、第３及び第４側板から延びる第３及び第４フラップに設けた貼付部を、重合部で重なり合うほぼ平坦な第１側板又は第２側板上へ貼り付けているので、組み立てられた状態で貼付部を含む第３フラップ及び第４フラップのみが載置面に当接するようにすることができる。このため、組み立てられた状態の組立式紙器の底面が平坦となり、多段に積み重ねた組立式紙器が安定する。
【００１４】
第２の発明では、第１の発明において、
組み立てられた状態で上記貼付部を含む上記第３フラップ及び第４フラップのみが載置面に当接する。
【００１５】
上記の構成によると、組み立てられた状態の組立式紙器の平坦な貼付部を含む第３フラップ及び第４フラップのみが載置面に当接するため、組立式紙器を積み重ねた場合に安定する。
【００１６】
第３の発明では、第１又は第２の発明において、
上記貼付部と上記第３フラップ又は第４フラップとの境界に谷折り用の折れ線を設け、上記貼付部が貼り付けられた状態で該折れ線を中心に折り畳むことにより、上記第１側板と第３側板とが重なり合い、上記第２側板と第４側板とが重なり合うように構成されている。
【００１７】
上記の構成によると、貼付部が貼り付けられた状態で貼付部と第３フラップ又は第４フラップとの境界に設けた谷折り用折れ線を中心に折り畳むと、第１側板と第３側板及び第２側板と第４側板が重なり合うように平坦になるので、多数の組立式紙器を組立前に多段に重ね合わして保管することができ、組立時には折れ線を中心に拡げればよいので、組立式紙器内への梱包が容易である。
【発明の効果】
【００１８】
以上説明したように、本発明によれば、第３及び第４側板から延びるフラップに設けた貼付部を、重合部で重なり合う第１側板又は第２側板上へ貼り付けることにより、組立式紙器を底面が平坦でぐらつかず、かつ組み立てやすいものとすることができる。
【発明を実施するための最良の形態】
【００１９】
以下、本発明の実施形態を図面に基づいて説明する。
【００２０】
図１は本発明の実施形態の組立式紙器１０を示し、図２に組立式紙器１０に折り畳む前の段ボール１の展開図を示す。図３に組立式紙器１０の底面を示す。この組立式紙器１０は、水平断面が矩形の直方体状のもので、互いに対向する第１側板１１と第２側板１２及び第３側板１３と第４側板１４を備えている。第１側板１１の側辺に連設された糊付部１５の表面は、第４側板１４の裏面に糊付けされるようになっている。段ボール１には、山折り用折れ線２と谷折り用折れ線３とが形成され、複数ある谷折り用折れ線３には、折り曲げやすくするためにスリット４が形成されたものもある。
【００２１】
第１側板１１と第２側板１２とは長細い矩形状を有し、第１側板１１の下辺１１ａには第１フラップ２１が連設され、第２側板１２の下辺１２ａには第２フラップ２２が連設されている。
【００２２】
同様に第３側板１３と第４側板１４とは長細い矩形状を有し、第３側板１３の下辺１３ａには第３フラップ２３が連設され、第４側板１４の下辺１４ａには第４フラップ２４が連設されている。これら第１〜第４フラップ２１〜２４によって組立式紙器１０の下面が構成されている。
【００２３】
第１フラップ２１は、高さが第３側板１３の下辺１３ａ（第４側板１４の下辺１４ａ）の略半分で上底２１ａに向かって幅が狭くなる略台形形状を有している。同様に第２フラップ２２は、高さが第３側板１３の下辺１３ａ（第４側板１４の下辺１４ａ）の略半分で上底２２ａに向かって幅が狭くなる略台形形状を有している。第１フラップ２１には、その上底２１ａの略半分からさらに延長された第１重合部２１ｂが形成されている。同様に、第１重合部２１ｂと対角の位置にある第２フラップ２２の上底２２ａの略半分から第２重合部２２ｂが延長されている。第１重合部２１ｂは第２フラップ２２の裏側に折り込まれ、第２重合部２２ｂは第１フラップ２１の裏側に折り込まれるようになっている。
【００２４】
第３フラップ２３は、高さが第１フラップ２１（第２フラップ２２）の下底すなわち、第１側板の下辺１１ａ（第２側板の下辺１２ａ）の半分よりも短い台形形状を有し、同様に第４フラップ２４は、高さが第１側板の下辺１１ａ（第２側板の下辺１２ａ）の半分よりも短い台形形状を有している。互いに対角の位置にある一方の斜辺２３ｂ，２４ｂには、貼付部２３ｃ，２４ｃが連設されている。この貼付部２３ｃ，２４ｃは、それぞれ第１及び第２重合部２１ｂ，２２ｂで重なり合う第１フラップ２１又は第２フラップ２２上へ貼り付けられるようになっている。貼付部２３ｃ，２４ｃと第３フラップ２３又は第４フラップ２４との境界には、谷折り用折れ線３が設けられている。
【００２５】
図４及び図５にも示すように、第１側板１１の上辺１１ｂには、正方形の天板３１が連設されている。天板３１の先端には、第２側板１２側に折り込むための第１舌片４１が連設されている。天板３１と第１舌片４１との間には、第１差込口３１ａが開口されている。
【００２６】
第２側板１２の上辺１２ｂには、天板３１の下に入り込む第１支持片３２が連設されている。支持片３２と第２側板１２との間には、第２差込口３２ａが開口されている。この第２差込口３２ａに第１舌片４１が差し込まれるようになっている。第１支持片３２と第２側板１２との間の左右中央には、折り畳み可能な第２舌片４２が形成されている。第２舌片４２は、第１差込口３１ａに差し込まれるようになっている。
【００２７】
第３側板１３の上辺１３ｂには、谷折りされる連結板４３を介して正方形の仕切板３３が連設されている。仕切板３３には、指を入れて引き上げるための指さし孔３３ａが開口されている。仕切板３３の先端には、谷折りされて第４側板１４の内面に当接する当接板４４が連設されている。
【００２８】
第４側板１４の上辺１４ｂには、第１支持片３２の下方に入り込む第２支持片３４が連設されている。
【００２９】
−組立式紙器の組立手順−
次に、本実施形態にかかる組立式紙器１０の組立手順について説明する。
【００３０】
まず、図２に示す状態に切込及び折れ線２，３が形成された段ボール１を用意する。
【００３１】
次いで、第１〜第４側板１１〜１４を折り曲げ、予め接着剤又は両面テープを施した糊付部１５を第４側板１４の裏面に貼り付ける。
【００３２】
次いで、図４に示すように、第１フラップ２１の第１重合部２１ｂを第２フラップ２２の裏面に当接させ、第２フラップ２２の第２重合部２２ｂを第１フラップ２１の裏面に当接させながら第１フラップ２１と第２フラップ２２とを重ね合わせる。
【００３３】
次いで、図５に示すように、第３フラップ２３の貼付部２３ｃを第１フラップ２１に貼り付け、第４フラップ２４の貼付部２４ｃを第２フラップ２２に貼り付ける。このとき、貼付部２３ｃ，２４ｃには、予め接着剤又は両面テープを施しておく。
【００３４】
この状態で、貼付部２３ｃ，２４ｃの谷折り用折れ線３で折り畳むと、図６に示すように、第１側板１１と第３側板１３及び第２側板１２と第４側板１４が重なり合うように平坦になるので、多数の組立式紙器１０を組立前に重ね合わして保管及び運送することができる。この平坦な状態のものを多段に積み重ねて組立式紙器１０の製造業者から納入される。
【００３５】
次いで、図６の状態で納入された組立式紙器１０に製品を梱包するには、谷折り用折れ線３を中心に第１〜第４側板１１〜１４及び仕切板３３を拡げて起こし、仕切板３３の下の段に例えば、携帯電話、電池、電池蓋等が凹部に嵌め込まれた梱包トレイ（いずれも図示せず）を入れる。
【００３６】
次いで、仕切板３３を折り畳んで当接板４４を第４側板１４の内面に当接させ、梱包トレイを押さえ込み、図５の状態とする。
【００３７】
次いで、仕切板３３の上に取説、ＣＤ等を収容し、第２支持片３４を折り曲げる。
【００３８】
次いで、第１支持片３２を第２支持片３４の上に重ねるように折り曲げ、天板３１を、第１舌片４１を第２差込口３２ａに差込ながら重ね合わせる。
【００３９】
第２舌片４２を山折り用折れ線２で折り曲げながら、その先端を第１差込口３１ａに差し込んで梱包が終了し、図１の状態となる。
【００４０】
図３に示すように、組み立てられた状態では、ハッチングで示す貼付部２３ｃ，２４ｃを、第１及び第２重合部２１ｂ，２２ｂのみで重なり合う略平坦な第１フラップ２１又は第２フラップ２２上へそれぞれ貼り付けているので、貼付部２３ｃ，２４ｃを含む第３フラップ２３及び第４フラップ２４のみが載置面に当接するようにすることができる。このため、組み立てられた状態の組立式紙器１０の底面が平坦となり、多段に積み重ねた状態で組立式紙器１０が安定する。
【００４１】
ここで、比較のために、従来の組立式紙器１１０の構成について図７及び図８を用いて説明する。
【００４２】
従来の組立式紙器１１０は、底面側の構成以外は概ね上記組立式紙器１０と等しい（同等の構成に同じ符号を付す）が、底面側の構成が大きく異なっている。すなわち、台形状の第１フラップ１２１及び第２フラップ１２２は、上底の位置から延びる第１及び第２重合部１２１ｂ，１２２ｂがそれぞれ相手側の裏側に折り込まれるだけでなく、第１フラップ１２１の下に第３フラップ１２３が、第２フラップ１２２の下に第４フラップ１２４が、互い違いに折り込まれることで、質量が重い製品を収容しても底が抜けないようにしている。このため、第１フラップ１２１及び第２フラップ１２２は、上記実施形態の第１フラップ２１及び第２フラップ２２に比べて平坦ではなく、撓んだ形状となっている。
【００４３】
そして、台形状の第１フラップ１２１及び第２フラップ１２２の互いに対角の位置にある一方の斜辺１２１ｄ，１２２ｄにそれぞれ貼付部１２１ｃ，１２２ｃが連設されているが、この貼付部１２１ｃ，１２２ｃを第３フラップ１２３又は第４フラップ１２４上へ貼り付けている。このため、組み立てた場合に、貼付部１２１ｃ，１２２ｃだけでなく、互いに重合して表面が撓んだ第１フラップ１２１及び第２フラップ１２２も載置面に当接するので、積み重ねるとぐらぐらして保管や運搬がし難かったという問題があった。
【００４４】
−実施形態の効果−
したがって、本実施形態にかかる組立式紙器１０によると、第３及び第４側板１３，１４から延びる第３及び第４フラップ２３，２４に設けた貼付部２３ｃ，２４ｃを、重合部２１ｂ，２２ｂで重なり合う第１側板１１又は第２側板１２上へそれぞれ貼り付けることにより、組立式紙器１０を底面が平坦でぐらつかず、かつ組み立てやすいものとすることができ、上記従来の問題を解決することができる。
【００４５】
（その他の実施形態）
本発明は、上記実施形態について、以下のような構成としてもよい。
【００４６】
すなわち、上記実施形態では、組立式紙器１０に携帯電話機とその付属品を収容したが、収容する製品の種類は限定されない。
【００４７】
組立式紙器１０は、段ボール１を折り畳んで形成したが、材質はそれに限定されず、他の紙類でもよい。
【００４８】
なお、以上の実施形態は、本質的に好ましい例示であって、本発明、その適用物や用途の範囲を制限することを意図するものではない。
【図面の簡単な説明】
【００４９】
【図１】本発明の実施形態にかかる組立式紙器の斜視図である。
【図２】組立式紙器の展開図である。
【図３】組立式紙器の底面図である。
【図４】組立式紙器の組立途中を示す斜視図である。
【図５】組立式紙器の組立途中を示す斜視図である。
【図６】組立式紙器を平らに折り畳んだ状態を示す斜視図である。
【図７】従来技術の組立式紙器の組立途中を示す斜視図である。
【図８】従来技術の組立式紙器の底面図である。
【符号の説明】
【００５０】
３      谷折り用折れ線
１０      組立式紙器
１１      第１側板
１１ａ    下辺
１２      第２側板
１２ａ    下辺
１３      第３側板
１３ａ    下辺
１４      第４側板
１４ａ    下辺
２１      第１フラップ
２１ａ    上底
２１ｂ    第１重合部
２２      第２フラップ
２２ａ    上底
２２ｂ    第２重合部
２３      第３フラップ
２４      第４フラップ
２３ｂ，２４ｂ  斜辺
２３ｃ，２４ｃ  貼付部
【図１】
2010089827.tif 000003
【図２】
2010089827.tif 000004
【図３】
2010089827.tif 000005
【図４】
2010089827.tif 000006
【図５】
2010089827.tif 000007
【図６】
2010089827.tif 000008
【図７】
2010089827.tif 000009
【図８】
2010089827.tif 000010